(57)【要約】【課題】  筒状のリールシートと元竿とを別個に成形するものであっても、リールシートの元竿への取付け状態を容易に安定して行える釣り竿を提供する点にある。【解決手段】  リールシート５は、元竿１とは別個に形成されるものであり、元竿１の所定取付位置に、外嵌固定される。  取付座１Ａは、炭素繊維等の強化繊維を竿の軸線に対して傾斜するバイアス状態でかつクロスする状態に織り込んで配置したプリプレグを巻回して構成してある。強化繊維の配列方向を軸線に対して傾斜する状態に設定してあるので、軸線に沿った状態や竿の周方向に沿った状態に配置するよりも剛性の低下が図れ、取付座１Ａが変形しやすくなっているので、リールシート５の変形にも追従してリールシート５の外嵌装着を容易に行い得る。【選択図】        図１
2006166841.tif 000002
【特許請求の範囲】
【請求項１】
リールシートを取付固定する元竿の取付箇所に、強化繊維を竿の軸線に対して傾斜する状態に配置したプリプレグを巻回して、前記リールシートの取付座を構成してある釣り竿。
【請求項２】
筒状のリールシートを外嵌して取付固定する元竿の取付箇所に、強化繊維を竿の軸線に対して傾斜する状態に配置したプリプレグを巻回して、前記リールシートの取付座を構成してある釣り竿。
【請求項３】
小径竿体を大径竿体内に収納した収縮状態で前記小径竿体の竿尻端部を保持して、前記小径竿体を前記収縮状態に維持する軟質材製保持リングを前記大径竿体内に装着するとともに、前記小径竿体の竿尻端部を、強化繊維を竿の軸線に対して傾斜する状態に配置したプリプレグのみで構成する釣り竿。
【請求項４】
竿体の竿先側または竿尻側端部のうち少なくとも一方に大径膨出部を形成するとともに、前記大径膨出部に円筒状の補助部品を取り付ける取付座を形成し、前記大径膨出部の取付座を、強化繊維を竿の軸線に対して傾斜する状態に配置したプリプレグで形成してある釣り竿。
【請求項５】
元竿の握り部表面を、強化繊維を竿の軸線に対して傾斜する状態でかつクロスする状態に配置したプリプレグで形成してある請求項１〜４のうちのいずれか一つに記載の釣り竿。
【請求項６】
釣糸を案内する移動ガイドに対する保持部を竿体の外周面に形成するとともに、強化繊維を竿の軸線に沿った方向に引き揃えたプリプレグで竿体を構成し、前記竿体の強化繊維よりも小さな弾性率の強化繊維を引き揃えたプリプレグで前記保持部を形成している請求項１〜５のうちのいずれか一つに釣り竿。
【発明の詳細な説明】
【技術分野】
【０００１】
本発明は、元竿にリールシートを有している釣り竿に関する。
【背景技術】
【０００２】
（１）（第１従来技術）  元竿とは別個に成形したリールシートを、その元竿の取付箇所に外嵌固定して、リールを元竿に装着する構成の釣り竿がある（特許文献１参照）。
（２）（第２従来技術）  小径竿体を大径竿体に対して伸縮自在で、かつ、伸長、収縮いずれの状態においても釣り操作が行える伸縮式の釣り竿において、小径竿体を大径竿体に収納して保持するのに、大径竿体に小径竿体の竿尻端部を嵌入させて保持する軟質材製保持リングを装備してある。
保持リングを軟質材製のものとしてあるのは、小径竿体の竿尻端部が保持リングの軸芯に対して偏芯した状態であっても、保持リングが多少変形して前記竿尻端部を嵌入することができるようにする点にある。
このように、保持リングを軟質材製のもので形成してあるので、前記竿尻端部の剛性が保持リングのものに比べて高すぎる場合には、長期間の使用によって保持リングが磨耗変形を生ずることになり、保持リングとして機能が低下することになる（特許文献２）。
（３）（第３従来技術）  竿体の竿先側または竿尻側端部には、その端部を補強する為や他の部品を取り付ける為の補助部品を取り付けているが、その補助部品の取り付け部位に、竿体の竿先端部または竿尻端部の外周面に大径膨出部を形成し、その大径膨出部を、強化繊維を竿の周方向に配置したプリプレグを巻回して構成していた（特許文献３）。
【０００３】
【特許文献１】実公平７−３７５０１号公報（第２頁第３欄第２８行〜３６行、図１）
【特許文献２】実登２５２０５１４号（第２頁第４欄第４６行〜第３頁第５欄第２０行、図１〜３）
【特許文献３】実開平５−３７０６８号公報（段落番号〔０００７〕、図１）
【発明の開示】
【発明が解決しようとする課題】
【０００４】
（１）（第１従来技術）  このような釣り竿においては、筒状のリールシートと元竿とを別個に成形するところから、リールシートの取付面の径と、元竿の取付箇所の外径とが所定の寸法精度で製作されていない場合には、リールシートが旨く外嵌装着できなかったり、装着できたとしてもガタツキを生ずる問題があった。
（２）（第２従来技術）  小径竿体の竿尻端部を、強化繊維を竿の軸線に沿った状態に配置したプリプレグで構成していた。このことによって、強化繊維を竿の軸線に沿って配置したので剛性が高く、前記竿尻端部側での変形が小さなものであった。これによって、竿尻端部が無理に保持リングを変形させながら嵌入することになるので、保持リングの磨耗変形を抑えることができなかった。
（３）（第３従来技術）  竿体の竿先側または竿尻側端部では、補助部品を取り付けるために、大径膨出部の表面を研磨加工しているが、強化繊維を竿の周方向に配置しているためとその補助部分を取り付けることによって、その部分の剛性が大幅に向上し、端部に剪断力が集中したり、玉口や竿尻端部に割れや折れが発生していた。
【０００５】
本発明の第１、２の目的は、リールシートと元竿とを別個に成形するものであっても、リールシートの元竿への取付け状態を容易に安定して行える釣り竿を提供する点にある。
本発明の第３の目的は、軟質材製の保持リングの磨耗等を抑制できる釣り竿を提供する点にある。
本発明の第４の目的は、補助部品を取り付けた竿尻端部等での端部割れ等を抑制できる釣り竿を提供する点にある。
【課題を解決するための手段】
【０００６】
〔構成〕
請求項１に係る発明の特徴構成は、リールシートを外嵌して取付固定する元竿の取付箇所に、強化繊維を竿の軸線に対して傾斜する状態に配置したプリプレグを巻回して、前記リールシートの取付座を構成してある点にあり、その作用効果は次の通りである。
【０００７】
〔作用〕
つまり、元竿におけるリールシートの取付座を、強化繊維を竿の軸線に対して傾斜する状態に配置したプリプレグで構成した。これによって、強化繊維を竿の軸線に沿って配置したものや竿の軸線に直交する状態に配置するプリプレグで、前記リールシートの取付座を形成する場合に比べて取付座面の剛性が低下し、変形しやすくなる。
なお、プリプレグの強化繊維を軸線方向に対して傾斜した状態に配置した場合に剛性が低下する点について説明すると、竿に対して魚が掛かった場合に曲げモーメントが作用するが、その場合に中立軸を境にして曲率中心側の表面では竿の軸芯方向に沿った圧縮力、曲率中心側とは反対側の表面では竿の軸芯方向に沿った引張力が作用する。このような力の作用方向に対して竿の軸線方向に沿って強化繊維を配置することが最も強度的に対抗力が高く、傾斜すると対抗力が低下する。このような点を考慮すると、竿の軸線方向に対して傾斜する方向に強化繊維を配置することによって、剛性を低くすることができ、変形し易さを確保できる。
したがって、リールシートの取付面の曲率が所定の曲率に対して誤差を持った曲率に形成された場合であっても、取付座の取付面が変形することによって、リールシートをガタツキなく装着できる。
【０００８】
〔効果〕
このように、元竿の取付座側での変形を期待することができるので、リールシート側で多少の変形を来たしていても、リールシートの元竿への取付状態をガタツキのない安定したものにできる。
【０００９】
〔構成〕
請求項２に係る発明の特徴構成は、筒状のリールシートを外嵌して取付固定する元竿の取付箇所に、強化繊維を竿の軸線に対して傾斜する状態に配置したプリプレグを巻回して、前記リールシートの取付座を構成してある点にあり、その作用効果は次の通りである。
【００１０】
〔作用〕
つまり、元竿におけるリールシートの取付座を、強化繊維を竿の軸線に対して傾斜する状態に配置したプリプレグで構成した。これによって、強化繊維を竿の軸線に沿って配置したものや竿の軸線に直交する状態に配置するプリプレグで、前記リールシートの取付座を形成する場合に比べて取付座面の剛性が低下し、変形しやすくなる。
したがって、リールシートの内径が所定の径に対して誤差を持った径に形成された場合であっても、取付座の取付面が変形することによって、リールシートをガタツキなく装着できる。
【００１１】
〔効果〕
このように、元竿の取付座側での変形を期待することができるので、リールシートの内径が所定の内径に対して多少の誤差を持っていても、リールシートの元竿への取付状態をガタツキのない安定したものにできる。
【００１２】
請求項３に係る発明の特徴構成は、小径竿体を大径竿体内に収納した収縮状態で前記小径竿体の竿尻端部を保持して、前記小径竿体を前記収縮状態に維持する軟質材製保持リングを前記大径竿体内に装着するとともに、前記小径竿体の竿尻端部を、強化繊維を竿の軸線に対して傾斜する状態に配置したプリプレグのみで構成する点にあり、その作用効果は次の通りである。
【００１３】
〔作用効果〕
つまり、本願発明においては、小径竿体の竿尻端部を、強化繊維を竿の軸線に対して傾斜する状態に配置したプリプレグのみで構成することにした。このことによって、強化繊維を竿の軸線に沿って配置した場合等に比べて剛性を低下させることができ、前記竿尻端部側での変形度合いを大きくすることができる。これによって、竿尻端部が無理に保持リングを変形させながら嵌入することが抑制されて、保持リングの磨耗変形を抑えることができる。
【００１４】
請求項４に係る発明の特徴構成は、竿体の竿先側または竿尻側端部のうち少なくとも一方に大径膨出部を形成するとともに、前記大径膨出部に円筒状の補助部品を取り付ける取付座を形成し、前記大径膨出部の取付座を、強化繊維を竿の軸線に対して傾斜する状態に配置したプリプレグで形成してある点にあり、その作用効果は次の通りである。
【００１５】
〔作用効果〕
竿体の竿先側または竿尻側端部では、補助部品を取り付けるために、強化繊維を竿の軸線方向に対して傾斜した状態で配置しているプリプレグで構成しているので、剛性の低下を図ることができるとともに、軸線に対して傾斜する方向に作用する剪断力に対して抵抗力を高めている。
これによって、竿先側または竿尻側端部での割れや折れの発生を抑制するとともに、剛性の低下によって変形しやすくなっており、補助部品を取付座に密着して取り付けることができ、取付状態も安定する。
【００１６】
請求項５に係る発明の特徴構成は、請求項１〜４の内のいずれか一つに係る発明において、元竿の握り部表面を、強化繊維を竿の軸線に対して傾斜する状態でかつクロスする状態に配置したプリプレグで形成してある点にあり、その作用効果は次の通りである。
【００１７】
〔作用効果〕
つまり、強化繊維を竿の軸線に対して傾斜する状態でかつクロスする状態に配置してあるので、握り部の表面は硬く保形性の高いもので有りながら、握り込むと変形しやすく、長く竿を握っていても竿ブレを抑え手の疲れが少なく掌への圧迫感も少ない。
【００１８】
請求項６に係る発明の特徴構成は、請求項１〜５の内のいずれか一つに係る発明において、釣糸を案内する移動ガイドに対する保持部を竿体の外周面に形成するとともに、強化繊維を竿の軸線に沿った方向に引き揃えたプリプレグで竿体を構成し、前記竿体の強化繊維よりも小さな弾性率の強化繊維を引き揃えたプリプレグで前記保持部を形成している点にあり、その作用効果は次の通りである。
【００１９】
〔作用効果〕
つまり、竿体における移動ガイドに対する保持部を、強化繊維を竿の軸線方向に沿って引き揃えたプリプレグを竿体の所定箇所に巻回して構成する。
このような構成によって、釣り操作時に保持部に取り付けた移動ガイドに釣糸の引張力が作用しても、プリプレグを巻回して保持部の強化を図っているので、竿体がその引張力に耐えるだけの強度を備え、竿の吊り上げ力を強力にすることができる。
【発明を実施するための最良の形態】
【００２０】
〔第１実施形態〕
海釣り、磯釣り等に使用される釣り竿Ａについて説明する。
釣り竿Ａは、図１に示すように、元竿１、複数の中竿２、穂先竿３とを夫々糸ガイド４を備えて振出式の竿に構成してあり、元竿１の中間部にリールＢを取り付けるリールシート５を外嵌装着してある。
【００２１】
図１に示すように、元竿１にはグリップ部（握り部の一例）１８が形成してあり、このグリップ部１８の表面には、強化繊維をクロスに織り込みかつ軸線方向に対して傾斜させてバイアスを持たせた状態に配置してプリプレグが巻回してある。これによって、強化繊維を軸線方向、または、周方向に配置した場合に比べて軸線方向に対して傾斜する状態で配置してあるので、剛性の低下を図ることができる。このことによって、表面は硬いものであるが、グリップ部１８を握り込んだ場合には、撓み易く、握り疲れがしない。グリップ部１８の表面にはサテン塗装が施してある。
【００２２】
移動ガイド４Ａの保持構造について説明する。図２に示すように、中竿２等の竿体における移動ガイド４Ａに対する保持部２Ａを設け、竿の軸線方向に沿って強化繊維を引き揃えたプリプレグを、竿体の所定箇所に巻回して、保持部２Ａを構成する。
このような構成によって、釣り操作時に保持部２Ａに取り付けた移動ガイド４Ａに釣糸の引張力が作用しても、前記プリプレグを巻回して保持部２Ａの強化を図っているので、竿体がその引張力に耐えるだけの強度を備え、竿の吊り上げ力を強力にすることができる。
ただし、竿の曲がりに影響がでないように、保持部２Ａのプリプレグにおける強化繊維の弾性率は、穂先竿３等の竿体のプリプレグにおける強化繊維の弾性率より小さな弾性率としてある。これによって、竿全体の調子を変更せずに竿の引き上げ強度を強化できる。
【００２３】
各竿１，２，３は、基本的には、ガラス繊維かカーボン繊維等の強化繊維にエポキシ等の熱硬化性樹脂を含浸させて形成したプリプレグをマンドレルに巻回して筒状に形成した竿素材を焼成して形成されている。
【００２４】
リールシート５の構成について説明する。
リールシート５は、図１に示すように、ポリエチレン・テレフタレート（ＰＥＴ）やＡＢＳ樹脂等のエンジニアリング樹脂をインジェクションによって成型されている。リール脚を取り付ける表側には、固定フード（竿先側フード）５Ａがリールシート本体と一体形成されており、固定フード５Ａの竿尻側には金属製の可動フード（竿尻側フード）５Ｂが竿芯方向にスライド移動自在に装着されている。
【００２５】
リールシート５は、元竿１とは別個に形成されるものであり、元竿１の所定取付位置に、外嵌固定される。つまり、元竿１の所定取付位置に、リールシート５を外嵌固定するための取付座１Ａを設けてある。
取付座１Ａは、炭素繊維等の強化繊維を竿の軸線に対して傾斜するバイアス状態でかつクロスする状態に織り込んで配置したプリプレグを巻回して構成してある。強化繊維の配列方向を軸線に対して傾斜する状態に設定してあるので、軸線に沿った状態や竿の周方向に沿った状態に配置するよりも剛性の低下が図れ、取付座１Ａが変形しやすくなっているので、リールシート５の変形にも追従してリールシート５の外嵌装着を容易に行い得る。
【００２６】
つまり、リールシート５は型で成型されるが、筒状の内周面の径は十分精度の高い状態で成型されないこともある。これに対して、元竿１の取付座１Ａが前記した強化繊維ａを斜めにクロスさせたプリプレグで構成されているので、剛性が低下した分だけ変形がし易く、リールシート５を外嵌する場合に、取付座１Ａがリールシート５の内周面形状に沿って変形し、リールシート５が取付座１Ａに密着した状態で装着される。これによって、リールシート５のガタツキを抑制しそのリールシート５の取付け状態が安定する。
また、クロスする状態に強化繊維を織り込んであるので、取付座１Ａの竿尻側端部または竿先側端部での割れや折れ等を回避できる。
剛性の低下を図るには、さらに、取付座１Ａに使用する強化繊維の弾性率を元竿１に使用されている強化繊維の弾性率に比べて小さなものを使用することもできる。
【００２７】
〔第２実施形態〕
鮎竿等に使用されている伸縮竿構造について説明する。図３に示すように、元竿１の竿尻端に尻リング６と尻栓７とを取り付けるとともに、尻リング６の内部に保持リング８を装着する。元竿１内に元上９を収縮した場合に、元上９の竿尻端部９Ａを保持リング８内に嵌合して、元上９を元竿１内に収納保持することができる。このような構成によって、元上９を収縮状態でも保持できるところから、竿の伸長長さを変更することができる。ここに、保持リング８は樹脂の成型品である。
【００２８】
元上９について説明する。図３及び図４に示すように、竿の軸線方向に沿って引き揃えた強化繊維に樹脂を含浸させたプリプレグを裁断したメインパターン１０と、強化繊維を竿の軸線方向に傾斜させたプリプレグを裁断した第１補助パターン１１とを用意する。メインパターン１０の竿尻端部に第１補助パターン１１の一部を重ね合わせた状態で、第１補助パターン１１の後半部分を竿尻側に延出した状態で、マンドレル１２に巻回して、元上９を構成する。図中１３は、強化繊維を竿の軸線方向と周方向とに配置した第２補助パターンであって、メインパターン１０の竿尻端位置と第２補助パターン１３の竿尻端位置とを一致させた状態で第２補助パターン１３をメインパターン１０上に巻回する。
【００２９】
以上のように、メインパターン１０と第１補助パターン１１とを重ね合わせてマンドレル１２に巻回して元上９を構成するので、元上９の竿尻端は、第１補助パターン１１のみを複数層に巻回した筒状部ｂとなっている。
したがって、その筒状部ｂが樹脂製の保持リング８内に嵌入して、元上９が収縮状態に保持される。
そして、この筒状部ｂが強化繊維を斜めにバイアスクロスさせたプリプレグだけで構成されているので、軸線方向に強化繊維を引き揃えたものに比べて剛性が小さくなっており、保持リング８内に収納する際に、樹脂製の保持リング８のみが変形するのではなく、筒状部ｂにおいても変形する。
これによって、例えば、従来のように、元上竿尻端が軸線方向に強化繊維を引き揃えたものに比べて樹脂製の保持リング８に対する元上竿尻端が及ぼす摩擦作用を低減できる。
【００３０】
〔第３実施形態〕
元竿１に限定されるものではないが、ここでは、元竿１を使用して説明する。図５に示すように、元竿１の玉口に先大径膨出部１Ｄと、元竿１の尻端に尻大径膨出部１Ｂを設け、先大径膨出部１Ｄにステンレス製の玉口金具１４を装着するとともに、尻大径膨出部１Ｂに尻リング１５を装着してある。ここに、玉口金具１４と尻リング１５とを補助部品と称する。
【００３１】
元竿１の製作方法は次ぎの通りである。図６に示すように、竿の軸線方向に引き揃えられた強化繊維に樹脂を含浸させたプリプレグを所定形状に裁断したメインパターン１０をマンドレル１６に巻回して元竿本体を構成するとともに、元竿本体の竿先端と竿尻端とに二つの補助パターン１７を巻回して、先大径膨出部１Ａと尻大径膨出部１Ｂとを形成する。
【００３２】
図５に示すように、先大径膨出部１Ｄと尻大径膨出部１Ｂとには、削り加工によって、取付座１ａ、１ｂが形成され、玉口金具１４と尻リング１５とを装着すべく構成してある。そして、先大径膨出部１Ｄと尻大径膨出部１Ｂとを形成する二つの補助パターン１７，１７は強化繊維を竿の軸線に対して傾斜するクロス状態に配置構成してある。
【００３３】
このように、先大径膨出部１Ｄと尻大径膨出部１Ｂとを構成するのに、従来のように周方向に強化繊維を配したプリプレグで構成する場合に比べて、剛性の低下を図ることができる。これによって、従来構成で見られていた剛性の高い状態に起因する剪断力の集中やその剪断力による竿端面の破断等を回避できる。また、剛性の低下により先大径膨出部１Ｄと尻大径膨出部１Ｂの取付座１ａ、１ｂが変形し易くなっているので、その部分での寸法吸収力が向上し、玉口金具１４や尻リング１５の取付けが容易になり、装着固定力も向上する。
【００３４】
〔別実施の形態〕
（１）  請求項１に係る発明においては、対象となるリールシートとしては、筒状のものではなく、図示していないが、板状のリールシートであってもよい。つまり、板状リールシートでは、竿体の外周面に載置される細幅長尺の板状脚部がその細幅方向に沿って円弧状に曲げ形成されている。しかし、この円弧状の脚部面が竿体の外周面の曲率に一致することがない場合がある。これに対して、元竿の板状リールシート装着面を、強化繊維を竿の軸線に対して傾斜する状態に配置したプリプレグを巻回して変形し易くしてあるので、板状脚部面と竿体外周面の曲率に不一致があっても、板状リールシートの取付状態が安定するようにできる。
（２）  保持リング８としては、樹脂以外に合成ゴムや他の軟質性材料で構成してもよい。
（３）  握り部の構成としては、エラストマーで構成するコア部分の表面にクロスのプリプレグを被覆して構成したものでもよい。
【図面の簡単な説明】
【００３５】
【図１】元竿にリールシートを装着する状態を示し、（イ）は装着後を示す側面図、（ロ）は装着前を示す側面図
【図２】移動ガイドの装着構造を示す側面図
【図３】元竿に装着された保持リングと元上とを示す縦断側面図
【図４】元上の製作前のプリプレグパターンを示す展開図
【図５】元竿の玉口と竿尻に夫々補助部品を取り付けた状態を示す縦断側面図
【図６】元竿の製作前のプリプレグパターンを示す展開図
【符号の説明】
【００３６】
１                  元竿
１Ａ，１ａ，１ｂ    取付座
１Ｂ，１Ｄ          先後大径膨出部
４Ａ                移動ガイド
５                  リールシート
８                  軟質弾性材製の保持リング
１４，１５          補助部品
１８                握り部
ａ                  強化繊維
【図１】
2006166841.tif 000003
【図２】
2006166841.tif 000004
【図３】
2006166841.tif 000005
【図４】
2006166841.tif 000006
【図５】
2006166841.tif 000007
【図６】
2006166841.tif 000008